(57)【要約】      （修正有）【課題】ディスク窓を通じて書籍の表紙外面から光記憶ディスクを視認でき、ディスクケースのガタつきによる光記憶ディスクの損傷やディスク窓の損傷を防止することができ、且つ、加工工程を簡素化して低コストで実用化できる書籍を提供すること。【解決手段】表表紙２が開かれケース収容部７に嵌装されたディスクケース２０が現れると、指先が指先挿入凹部８へ挿入されて、可動ホルダ２２が表表紙２に対して手前側に引き起こされる。すると、可動ホルダ２２が回動され、ディスクケース２０が開放される。この開放後、２枚の光ディスク５０の各保持孔５１内に挿嵌固定突起２１ａ，２２ａがそれぞれ挿嵌されてから、可動ホルダ２２が回動閉塞されて、書籍１の表表紙２が閉じられると、ディスク窓６から透明な固定ホルダ２１越しに光ディスク５０が露呈される。【選択図】図４
0003113403.tif 000002
【実用新案登録請求の範囲】
【請求項１】
光記憶ディスクを付録可能に形成される書籍において、
光記憶ディスクを表裏面から狭持する透明ホルダ及び可動ホルダと、その透明ホルダ及び可動ホルダを回動開閉可能に連結する連結部とを有し、且つ、その連結部を除く箇所にて前記透明ホルダ及び可動ホルダ同士を封止して光記憶ディスクを収容するディスクケースと、
そのディスクケースの厚みと略等しいか又はそれ以上の板厚を有する厚板状の表紙と、
その表紙の内面に凹設される凹部であって前記ディスクケースの厚みと略等しいか又はそれ以上の深さを有するとともに、そのディスクケースが嵌装されて前記透明ホルダが固着されるケース収容部と、
そのケース収容部の底面の一部に前記表紙の外面に貫通して開口形成され、その開口部が前記透明ホルダにより覆われ、その透明ホルダ越しに前記ディスクケースに狭持される光記憶ディスクを露呈させるディスク窓とを備えていることを特徴とする書籍。
【請求項２】
前記ディスクケースは、２枚以上の光記憶ディスクを重ね合わせて狭持可能に形成されていることを特徴とする請求項１記載の書籍。
【請求項３】
前記ディスクケースにおける前記透明ホルダ及び可動ホルダの対向面に突設され、光記憶ディスクの保持孔に嵌脱可能に挿嵌され、光記憶ディスクを固定する挿嵌固定部材を備えていることを特徴とする請求項１又は２に記載の書籍。
【請求項４】
前記ディスク窓は、その開口サイズが前記ケース収容部に嵌装される前記ディスクケースの外形サイズに比べて小さく形成され、そのディスク窓の開口縁部によって前記ディスクケースに収容されている光記憶ディスクの外周縁部が掩覆されていることを特徴とする請求項１から３のいずれかに記載の書籍。
【請求項５】
前記表紙内面に凹設される凹部であって、前記ケース収容部の周縁部のうち前記ディスクケースの開き口側に相当する箇所に、そのケース収容部に連通して欠成される指先挿入凹部を備えており、
前記ケース収容部は、その指先挿入凹部を除く周縁部分が前記ディスクケースの外形に適合形成されていることを特徴とする請求項１から４のいずれかに記載の書籍。
【請求項６】
前記表紙は、その内面に固着され前記ケース収容部が形成される厚板状の表紙基材を備えており、
その表紙基材は、その平面サイズが本文用紙の判型と略等しく形成され、前記表紙の内面の縁部を除くほぼ全体に固着されていることを特徴とする請求項１から５のいずれかに記載の書籍。
【請求項７】
前記可動ホルダは透明に形成されていることを特徴とする請求項１から６のいずれかに記載の書籍。
【請求項８】
前記可動ホルダには、前記表紙の外面に施されるデザインに付随または関連した内容のデザインが施されていることを特徴とする請求項１から７のいずれかに記載の書籍。
【考案の詳細な説明】
【技術分野】
【０００１】
本考案は、光記憶ディスクを付録として収容可能な書籍に関するものである。
【背景技術】
【０００２】
近年、コンパクトディスク（以下「ＣＤ（compact disc）」という。）又はＤＶＤ（digital versatile disk）などの光記憶ディスクの普及に伴い、多種多様な情報を記憶した光記憶ディスクを付録物として収容した書籍（その他の印刷物を含む。）が数多く現れてきている。例えば、実公平６−０１１８３７号には、書籍の表紙の内面に設けられた収納開口部内に、光記憶ディスクを収容するケースを着脱可能に収納し、表紙に設けられる透明板を介し光記憶ディスクを表紙外側から目視することが可能な書籍が提案されている。
【考案の開示】
【考案が解決しようとする課題】
【０００３】
しかしながら、上記した書籍では、ケースを出し入れする必要性から、収納開口部内にあるケースを張り出し片状部により保持するのみであり、更に、ケースの外形に対して収納開口部の開口サイズを充分に大きくする必要があった。このため、ケースが収納開口部内でガタつき易くなっており、このガタつきによってケースと透明板が擦れて透明板が損傷してしまうという虞がある。
【０００４】
また、上記したケースのガタつきによれば、透明板と光記憶ディスクとが擦れて光記憶ディスクが損傷する虞もあり、惹いては、書籍の商品価値の低下までも招来する危険性が存在するという問題点がある。しかも、主として紙製の表紙に透明樹脂製の透明板を埋め込む加工工程が別途必要となるため、その埋め込み手法によっては書籍の製造コストが大幅に増加するため、低予算で取引される書籍については実用化され難いという問題点があった。
【０００５】
本考案は、上述した問題点を解決するためになされたものであり、ディスク窓を通じて書籍の表紙外面から光記憶ディスクを視認でき、ディスクケースのガタつきによる光記憶ディスクの損傷やディスク窓の損傷を防止することができ、且つ、加工工程を簡素化して低コストで実用化できる書籍を提供することを目的としている。
【課題を解決するための手段】
【０００６】
この目的を達成するために請求項１記載の書籍は、光記憶ディスクを付録可能に形成されるものであって、光記憶ディスクを表裏面から狭持する透明ホルダ及び可動ホルダと、その透明ホルダ及び可動ホルダを回動開閉可能に連結する連結部とを有し、且つ、その連結部を除く箇所にて前記透明ホルダ及び可動ホルダ同士を封止して光記憶ディスクを収容するディスクケースと、そのディスクケースの厚みと略等しいか又はそれ以上の板厚を有する厚板状の表紙と、その表紙の内面に凹設される凹部であって前記ディスクケースの厚みと略等しいか又はそれ以上の深さを有すると共に、そのディスクケースが嵌装されて前記透明ホルダが固着されるケース収容部と、そのケース収容部の底面の一部に前記表紙の外面に貫通して開口形成され、その開口部が前記透明ホルダにより覆われ、その透明ホルダ越しに前記ディスクケースに狭持される光記憶ディスクを露呈させるディスク窓とを備えている。
【０００７】
この請求項１記載の書籍によれば、光記憶ディスクを書籍に収容する場合、まず、表紙が開かれ表紙の内面が現れると、ケース収容部に嵌装されたディスクケースも現れる。このときディスクケースの透明ホルダ及び可動ホルダ同士が封止状態にあれば、その封止状態が解除される。すると、ディスクケースが開放可能な状態となるので、その後、可動ホルダが表紙に対して引き起こされると、連結部を介して可動ホルダが透明ホルダに対して回動され、ディスクケースが開放される。
【０００８】
ディスクケースの開放後、光記憶ディスクが透明ホルダ及び可動ホルダ間に狭入される。その後、可動ホルダが連結部を介して回動閉塞され、両ホルダが相互に封止されると、光記憶ディスクが両ホルダ間に狭持された格好で、ディスクケース内に収容される。一方、光記憶ディスクを書籍から抜脱させる場合には、上記した動作とは逆の動作が行われる。また、書籍の表紙が閉じられている場合、書籍に付録される光記憶ディスクは、表紙のディスク窓から透明ホルダ越しに露呈され、表紙の外面側から目視される。
【０００９】
請求項２記載の書籍は、請求項１記載の書籍において、前記ディスクケースは２枚以上の光記憶ディスクを重ね合わせて狭持可能に形成されている。
【００１０】
請求項３記載の書籍は、請求項１又は２に記載の書籍において、前記ディスクケースにおける前記透明ホルダ及び可動ホルダの対向面に突設され、光記憶ディスクの保持孔に嵌脱可能に挿嵌され、光記憶ディスクを固定する挿嵌固定部材を備えている。
【００１１】
請求項４記載の書籍は、請求項１から３のいずれかに記載の書籍において、前記ディスク窓は、その開口サイズが前記ケース収容部に嵌装される前記ディスクケースの外形サイズに比べて小さく形成され、そのディスク窓の開口縁部によって前記ディスクケースに収容されている光記憶ディスクの外周縁部が掩覆されている。
【００１２】
請求項５記載の書籍は、請求項１から４のいずれかに記載の書籍において、前記表紙内面に凹設される凹部であって、前記ケース収容部の周縁部のうち前記ディスクケースの開き口側に相当する箇所に、そのケース収容部に連通して欠成される指先挿入凹部を備えており、前記ケース収容部は、その指先挿入凹部を除く周縁部分が前記ディスクケースの外形に適合形成されている。
【００１３】
この請求項５記載の書籍によれば、請求項１から４のいずれかに記載の書籍と同様に作用する上、可動ホルダを回動開放させる場合、書籍の使用者の指先が指先挿入凹部へと挿入され、その指先がディスクケースの開き口に掛けられ、その指先で可動ホルダが表紙内面に対して引き起こされると、可動ホルダが透明ホルダに対して回動されて、ディスクケースが開放される。
【００１４】
請求項６記載の書籍は、請求項１から５のいずれかに記載の書籍において、前記表紙は、その内面に固着され前記ケース収容部が形成される厚板状の表紙基材を備えており、その表紙基材は、その平面サイズが本文用紙の判型と略等しく形成され、前記表紙の内面の縁部を除くほぼ全体に固着されている。
【００１５】
請求項７記載の書籍は、請求項１から６のいずれかに記載の書籍において、前記可動ホルダは透明に形成されている。
【００１６】
請求項８記載の書籍は、請求項１から７のいずれかに記載の書籍において、前記可動ホルダには、前記表紙の外面に施されるデザインに付随または関連した内容のデザインが施されている。
【考案の効果】
【００１７】
請求項１記載の書籍によれば、光記憶ディスクを収容するディスクケースは、その一部分である透明ホルダ自体が表紙内面に凹設されるケース収容部に固着されるので、ディスクケースが表紙に対してガタつくことを防止できるという効果がある。
【００１８】
また、光記憶ディスクを表紙外面に露呈させるディスク窓は、光記憶ディスクを可動ホルダと共に狭持している透明ホルダ自体によって覆われるので、ディスク窓を覆うための透明板を別途取り付ける必要がなく、その分、書籍全体の部品点数を増加を防止し、書籍の組み立て工程を簡素化して、書籍の製造コストを低減できるという効果がある。
【００１９】
更に、ディスクケースに収容される光記憶ディスクは、透明ホルダ及び可動ホルダ間に狭持されて収容されるので、外部からの衝撃による振動で光記憶ディスク及び透明ホルダが擦れてかかる両者が損傷することを防止できる。その結果、透明ホルダの損傷によるディスク窓からの光記憶ディスクの視認性の低下や、光記憶ディスクの損傷による記憶情報が再生不能となる事態を回避できるという効果がある。
【００２０】
また、可動ホルダについても、連結部を介して透明ホルダと相互に連結されるものであるので、可動ホルダが透明ホルダに対してガタつくこともない。従って、可動ホルダが透明ホルダに対して擦れ動いて透明ホルダが損傷することもなく、その損傷によって透明ホルダの視認性低下が招来することも防止できるという効果がある。
【００２１】
更に、ディスクケースは、それの透明ホルダがケース収容部に嵌装され且つ固着されることで表紙と一体化されているので、表紙を開閉させる際に、ディスクケースが誤ってケース収容部から転落することも防止できるという効果がある。
【００２２】
しかも、ケース収容部の凹設深さはディスクケースの厚みと略等しいか又はそれ以上あるので、ディスクケースが表紙の内面から突き出ることを防止できる。よって、例えば、表紙の上に別の書籍を積み重ねた場合に伴う圧力がディスクケースに作用することを防止して、かかる圧力によるディスクケースが割れるなどする損傷を防止できるという効果がある。
【００２３】
請求項２記載の書籍によれば、請求項１記載の書籍の奏する効果に加え、ディスクケースは、２枚以上の光記憶ディスクを重ね合わせて狭持できるので、判型（サイズ）の比較的小さいな書籍であって光記憶ディスクを平面的に２枚以上並べて収容不能なものであっても、２枚以上の光記憶ディスクを収容して付録することができるという効果がある。
【００２４】
例えば、Ａ５版のなどの極小さめの判型の書籍であっても、直径略１２０ｍｍの光記憶ディスクを２枚以上付録ができるのである。しかも、２枚以上の光記憶ディスクを平面的に複数枚並べて収容する書籍のように、光記憶ディスクの収容面積を確保するためだけに書籍の判型を必要以上に拡大する必要もなく、その分、書籍の製造コストを低減することもできるという効果がある。
【００２５】
請求項３記載の書籍によれば、請求項１又は２に記載の書籍の奏する効果に加え、光記憶ディスクがディスクケース内に収容される場合、透明ホルダ及び可動ホルダの対向面間に狭持されている光記憶ディスクは、その保持孔に挿嵌固定部材が挿嵌されて固定される。よって、可動ホルダが回動開放された場合に、その可動ホルダ及び透明ホルダによる光記憶ディスクの狭持が解かれても、光記憶ディスクを挿嵌固定部材によりディスクケースに対して確実に固定させておくことができ、光記憶ディスクの転落事故を防止できるという効果がある。
【００２６】
請求項４記載の書籍によれば、請求項１から３のいずれかに記載の書籍の奏する効果に加え、ディスク窓の開口サイズはディスクケースの外形サイズより小さいので、ディスク窓を通じてケース収容部に嵌装されているディスクケースを抜き取ることが不能とされている。よって、例えば、書籍の表紙を開かずにディスク窓を通じてディスクケースごと光記憶ディスクを窃取するような不正行為を予防できるという効果がある。
【００２７】
また、ディスク窓によれば、その開口縁部によってディスクケースに収容されている光記憶ディスクの外周縁部が掩覆されるので、表紙を開かずに書籍の外観を見る限りにおいて、光記憶ディスクの外縁に存在する無機質なディスクケースの構造部分を覆い隠して、光記憶ディスクの表面の主要部のみを露呈させることができるという効果がある。よって、例えば、ディスク窓からディスクケースの構造部分があからさまに現れて、その結果、書籍の美的外観が損なわれるような事態を回避できるという効果がある。
【００２８】
請求項５記載の書籍によれば、請求項１から４のいずれかに記載の書籍の奏する効果に加え、ディスクケースが嵌装されるケース収容部の周縁部は、そのディスクケースの開放時に指先が挿入される指先挿入凹部の凹設箇所を除いて、ディスクケースの外形に適合して形成される。よって、ディスクケースは、指先挿入凹部を除けば、ケース収容部内にほぼ合致して収まり、表紙の一部と化すので、表紙の内面に嵌め込まれたディスクケースと表紙との間に一体性が付与され、表紙内面にデザイン的な統一感を創出できるという効果がある。
【００２９】
請求項６記載の書籍によれば、請求項１から５のいずれかに記載の書籍の奏する効果に加え、表紙内面には表紙基材が固着されるので、ディスク窓を開口形成することに伴う表紙の剛性強度低下を抑制できるという効果がある。
【００３０】
また、表紙自体の厚みがケース収容部に必要な凹設深さよりもほんの僅かに大きいに過ぎない場合や、表紙自体の厚みがケース収容部の凹設深さ未満の場合には、ケース収容部の凹設のために不足する表紙の厚さを表紙基材で補充できる。従って、表紙自体の厚みに左右されることなく、ディスクケースを嵌装するためのケース収容部として充分な凹設深さを確保できるという効果がある。
【００３１】
更に、表紙基材は書籍の内側に綴じ込まれる本文用紙の判型と略等しいので、表紙基材を一見して本文用紙の一部であるかのように見せることができる。よって、書籍の外観上、表紙基材の存在によって表紙の厚みが増したような見た目を与えることがなく、表紙が裏表紙に比して異常に肉厚となって外観的に不格好となることも防止できるという効果がある。
【００３２】
請求項７記載の書籍によれば、請求項１から６のいずれかに記載の書籍の奏する効果に加え、可動ホルダも透明に形成されているので、例えば、表紙を開いて書籍を使用している場合に、ディスクケース内に光記憶ディスクが存在するか否かを可動ホルダ越しに確認できるという効果がある。よって、表紙を開いて書籍を使用する際に、一々表紙を閉じてディスク窓から光記憶ディスクの存否を確認したり、或いは、ディスクケースを開いて光記憶ディスクの存否を確認する手間を解消できるという効果がある。
【００３３】
請求項８記載の書籍によれば、請求項１から７のいずれかに記載の書籍の奏する効果に加え、光記憶ディスクがディスクケースから取り外された場合、可動ホルダに施されるデザインが透明ホルダ越しにディスク窓を通して表紙の外面に露呈されるので、かかる可動ホルダに施されるデザインが表紙の外面に施されるデザインと相俟って、書籍の表紙の外観に様々な趣向を付与できるという効果がある。
【考案を実施するための最良の形態】
【００３４】
以下、本考案の好ましい実施例について、添付図面を参照して説明する。図１は、本考案の一実施例である書籍１の外観斜視図であり、光記憶ディスク（以下「光ディスク」ともいう。）５０を抜脱した状態を図示したものである。
【００３５】
図１に示すように、光ディスク５０は、略円形状の保持孔５１が平面視略中央部分に貫穿される円形板状体であり、具体的には、ＣＤやＤＶＤなどの光学的に記憶情報を読み取り可能な電子情報記憶媒体である。また、図１に示す光ディスク５０に関する代表的な寸法値は、例えば、直径が略１２０ｍｍ、厚みが略１ｍｍ、保持孔５１の内径が略１５ｍｍである。
【００３６】
なお、本願の実用新案登録請求の範囲及び明細書において用いる「書籍」とは、一般な語義である本や書物を含むものであることに加え、その他にカタログ、地図、雑誌、写真集、及び画集などの印刷物全般を含むものである。
【００３７】
図１に示すように、書籍１は、上記した光ディスク５０を付録物として付録することができる印刷物であり、平面視略長方形の厚板状に形成される表表紙２及び裏表紙３を備えている。表表紙２と裏表紙３との間には複数枚の本文用紙４が積層して綴じ込まれており、その本文用紙４と上記した表表紙２との間には、後述するケース収容部７が凹設される略厚板状の表紙基材５が介装されている。
【００３８】
また、表表紙２の外面２ａ（図１の上側面）における略中央部分には平面視略円形状のディスク窓６が開口形成されており、このディスク窓６は、表表紙２の厚さ方向に貫通された開口窓である。このディスク窓６の開口部は、ディスクケース２０の透明な固定ホルダ２１により覆われており、この固定ホルダ２１越しにディスクケース２０に収容される光ディスク５０が表表紙２の表面２ａ側に露呈されるように構成されている。
【００３９】
図２は、見開き状態の書籍１の平面図であって、ディスクケース２０の開放状態を図示したものである。また、図中の２点鎖線は、光ディスク５０を図示したものである。図２に示すように、表表紙２の内面２ｂには、その表表紙２の内面２ｂの縁部を除くほぼ全体に上記した表紙基材５が接着剤や糊剤などを介して固着されており、この表紙基材５はその平面サイズが本文用紙４の判型と略等しく形成されている。
【００４０】
この表紙基材５は、例えば、厚紙やボール紙又はそれらに比べて軽量な発砲ウレタン、発泡スチロール若しくはスポンジゴムなどの厚板状の素材で形成されており、この表紙基材５には、光ディスク５０を収容する平面視略矩形状の有底凹部であるケース収容部７が凹設されている（図４参照）。
【００４１】
ケース収容部７は、ディスクケース２０を表表紙２の内面２ａ側に収容するための凹部であり、ディスクケース２０の厚みと略等しいか又はそれ以上の凹設深さを有している。また、ケース収容部７は、後述する指先挿入凹部８の凹設箇所を除いて、その開口形状がディスクケースの外形に適合形成されており、ディスクケース２０がほぼ合致した状態で嵌装されている。また、ケース収容部７の周縁部のうち、ディスクケース２０の開き口側（図２上側）に相当する箇所には、平面視略半円形の指先挿入凹部８がケース収容部７に連通して欠成されている。
【００４２】
この指先挿入凹部８は、ケース収容部７と共に表紙基材５に凹設される凹部であり、可動ホルダ２２を固定ホルダ２１に対して引き起こしてディスクケース２０を開放する場合に指先が挿入される部位である。なお、本実施例におけるケース収容部７及び指先挿入凹部８の凹設深さは、ディスクケース２０の厚みが略５ｍｍ程度であるのに対して、それと等しい略５ｍｍ程度とされている。
【００４３】
ところで、ケース収容部７の底面略中央部分には、上記したディスク窓６が開口形成されており、このディスク窓６は表表紙２の外面２ａまで貫通されている。また、ケース収容部７の底面におけるディスク窓６の非形成部分には、ディスクケース２０の固定ホルダ２１が接着剤などを介して固着されており、この固定ホルダ２１によってディスク窓６の全体が覆われている。
【００４４】
ディスクケース２０は、光ディスク５０を収容するためのケースであり、ケース収容部７内に嵌装されている。このディスクケース２０は、光ディスク５０を表裏面から狭持する固定ホルダ２１及び可動ホルダ２２を備えており、そのうちの固定ホルダ２１については透明材料で形成されている。
【００４５】
なお、本願の実用新案登録請求の範囲及び明細書において、透明とは、一般的に「透明」が意味する無色透明などの語意に加えて、ディスクケース２０内における光ディスク５０に施されるデザインを視認可能な程度の半透明を含む概念である。
【００４６】
固定ホルダ２１及び可動ホルダ２２は、ケース収容部７の縁辺（図２の下端辺）に沿って設けられる連結部２３を介して相互に回動開閉可能に連結されている。また、ディスクケース２０は、上記した連結部２３を除く箇所、例えば、連結部２３が設けられる縁辺部に対する対向辺部（図２の上端辺）に、固定ホルダ２１及び可動ホルダ２２同士を相互に封止する係合構造（図示せず）が設けられている。
【００４７】
ところで、ディスクケース２０は、２枚の光ディスク５０を重ね合わせて狭持可能に形成されており、固定ホルダ２１及び可動ホルダ２２の対向面略中央部分には挿嵌固定突起２１ａ，２２ａがそれぞれ突設されている。挿嵌固定突起２１ａ，２２ａは、いずれも、光ディスク５０の保持孔５１内に嵌脱可能に挿嵌され、光ディスク５０を固定ホルダ２１及び可動ホルダ２２に対してそれぞれ固定して、ディスクケース２０から脱落することを防止するものである。
【００４８】
また、ディスクケース２０の外形サイズは、上記したディスク窓６の開口サイズに比べて大きく形成されており、表表紙２の外面２ａ側からディスク窓６を通じてディスクケース２０が抜き取られないように形成されている。このようにして、光ディスク５０がディスクケース２０ごとディスク窓６から窃取されることを予防している。
【００４９】
なお、以上のように説明したディスクケース２０としては、例えば、光ディスク５０用の量産型のディスクケースを使用することもでき、さすれば書籍１全体としての製造コストの低減も図られる。
【００５０】
図３は、書籍１の平面図である。図３に示すように、ディスク窓６の内径は、ディスクケース２０内に収容される光ディスク５０の外径より小さく形成されている。つまり、ディスク窓６は、その開口縁部によって、ディスクケース２０に収容されている光ディスク５０の外周縁部を掩覆すると共に、光ディスク５０の外縁に存在するディスクケースの構造部分を覆い隠すように形成されている。従って、ディスクケース２０に光ディスク５０が収容される場合、ディスク窓６からは、光ディスク５０の表面のうち主要部のみが露呈される。
【００５１】
ところで、可動ホルダ２２は、それ自体が透明であっても、表表紙２の外面２ａに施されるデザイン（文字、図形、模様若しくは色彩又はこれらが結合したもの）に付随または関連した内容のデザインが施されたものであっても、良い。
【００５２】
例えば、可動ホルダ２２が透明ならば、表表紙２を開いて書籍１を使用している場合に、ディスクケース２０内に光ディスク５０が存在するか否かを可動ホルダ２２越しに確認でき、一々表表紙２を閉じてディスク窓６から光ディスク５０の存否を確認したり、或いは、ディスクケース２０を開いて光ディスク５０の存否を確認する手間を解消できる。
【００５３】
一方、表表紙２の外面２ａのうちディスク窓６を除く部分（即ち、ディスク窓６の非形成部分）に、所望内容のデザインを施すとともに、そのデザインに付随または関連する内容のデザインを光ディスク５０や可動ホルダ２２に施すこともできる。
【００５４】
さすれば、表表紙２の外面２ａと、固定ホルダ２１越しに目視される光ディスク５０又は可動ホルダ２２のデザインとの間に付随又は関連性を持たせたデザインを施して、その結果、書籍１全体としての意匠的効果を高め、書籍１の商品価値を向上させることもできる。
【００５５】
図４は、図２のＩＶ−ＩＶ線における断面図であり、図２に比べて固定ホルダ２１に対する可動ホルダ２２の開き角を小さくしたものである。図４に示すように、ディスクケース２０の連結部２３には、固定ホルダ２１及び可動ホルダ２２を相互に回動可能に連結する回動軸２３ａが設けられている。
【００５６】
次に、上記のように構成された書籍１の使用方法について説明する。まず、光ディスク５０を書籍１に収容する場合、表表紙２が開かれ、表紙基材５の内面が現れると、ケース収容部７に嵌装されたディスクケース２０も現れる。ここで、指先が指先挿入凹部８へ挿入され、その指先が可動ホルダ２２の縁辺に掛けられ、可動ホルダ２２が表表紙２に対して手前側に引き起こされると、図示しない係合構造による封止状態が解除されると共に、連結部２３の回動軸２３ａを介して、可動ホルダ２２が固定ホルダ２１に対して回動され、ディスクケース２０が開放される。
【００５７】
ディスクケース２０の開放後、光ディスク５０を固定ホルダ２１及び可動ホルダ２２間に狭入させるようにしつつ、光ディスク５０，５０の保持孔５１，５１内にそれぞれ挿嵌固定突起２１ａ，２２ａが挿嵌されると、光ディスク５０，５０が固定ホルダ２１及び可動ホルダ２２にそれぞれ固定される。その後、可動ホルダ２２が連結部２３を介して回動閉塞され、両ホルダ２１，２２が相互に係合構造を介して封止されると、光ディスク５０，５０が両ホルダ２１，２２間に狭持されて、ディスクケース２０内に収容される。
【００５８】
そして、書籍１の表表紙２が閉じられると、ディスク窓６から透明な固定ホルダ２１越しに光ディスク５０が露呈される。この結果、表表紙２が閉じられたままの状態でも、光ディスク５０を、表表紙２の外面２ａ側から目視することができる。
【００５９】
一方、光ディスク５０を書籍１から抜脱させる場合には、まず、表表紙２が開かれた後、指先が指先挿入凹部８へ挿入され、その指先で可動ホルダ２２が表表紙２に対して手前側に引き起こされると、上記と同様にディスクケース２０が開放される。このディスクケース２０の開放後、挿嵌固定突起２１ａ，２２ａが押圧されると、これらによる光ディスク５０，５０の固定が解除されて、光ディスク５０，５０が固定ホルダ２１及び可動ホルダ２２から取り外される。
【００６０】
以上、実施例に基づき本考案を説明したが、本考案は上記実施例に何ら限定されるものではなく、本考案の趣旨を逸脱しない範囲内で種々の改良変形が可能であることは容易に推察できるものである。例えば、本実施例では、ディスク窓６が開口形成される表紙として表表紙２を例に説明したが、本考案が適用される書籍の表紙は必ずしも表表紙に限定されるものではなく、裏表紙に対してディスク窓及びその他の構成要素を適用することもできる。
【００６１】
また、本実施例では、光ディスク５０の平面形状が円形状で、保持孔５１の開口形状が略円形状のものについて説明したが、光ディスクの平面形状および保持孔の開口形状は必ずしもこれに限定されるものではなく、平面形状が略長方形状のカード型の光ディスクであったり、保持孔の開口形状が矩形状など非円形状の光ディスクがあれば、その光ディスクの形態に適合するように、ディスク窓、ディスクケース、ケース収容部の形態を随時変更することができる。また、光ディスクの外径又は保持孔の内径は上記例示以外のものでも良い。
【００６２】
また、本実施例のディスクケース２０は、主として、挿嵌固定突起２１ａ，２２ａによって光ディスク５０を固定ホルダ２１及び可動ホルダ２２に固定するものであった。しかしながら、光ディスクの固定方式は必ずしもこれに限定されるものではなく、例えば、挿嵌固定突起に相当する部材が非装備のディスクケースを使用する場合にあっては、ディスクケースは、光ディスクの表裏面に固定ホルダ及び可動ホルダを密着させて光ディスクを狭持固定するものとする必要がある。
【００６３】
また、本実施例では、２枚の光ディスク５０を収容可能なディスクケース２０を例に説明したが、かかるディスクケースの形態は、必ずしも光ディスクを２枚収容可能なものに限定されるものではなく、その他の形態、例えば、光ディスクを１枚収容するタイプのもの、又は、３枚以上収容可能なタイプのものであっても良い。
【００６４】
また、本実施例では、図１又は図２に図示する構造を有するディスクケースを用いて説明したが、ディスクケースの構造は必ずしもこれに限定されるものではなく、２枚のホルダが開閉可能に連結されてそのホルダ間に光ディスクを挟み込むタイプのものであれば、これとは異なる構造を各部に有するディスクケースであっても良い。
【図面の簡単な説明】
【００６５】
【図１】本考案の一実施例である書籍の外観斜視図である。
【図２】見開き状態の書籍の平面図であって、ディスクケースの開放状態を図示したものである。
【図３】書籍の平面図である。
【図４】図２のＩＶ−ＩＶ線における断面図である。
【符号の説明】
【００６６】
１                    書籍
２                    表表紙（表紙）
３                    裏表紙（表紙）
４                    本文用紙
５                    表紙基材（表紙基材、表紙の一部）
６                    ディスク窓
７                    ケース収容部
８                    指先挿入凹部
２０                  ディスクケース
２１                  固定ホルダ（透明ホルダ）
２１ａ                挿嵌固定突起（挿嵌固定部材の一部）
２２                  可動ホルダ（可動ホルダ）
２２ａ                挿嵌固定突起（挿嵌固定部材の一部）
２３                  連結部
５０                  光記憶ディスク，光ディスク
５１                  保持孔
【図１】
0003113403.tif 000003
【図２】
0003113403.tif 000004
【図３】
0003113403.tif 000005
【図４】
0003113403.tif 000006